(57)【要約】【課題】復水器洗浄用のボールの個々に含まれる微量な空気分を完全に抽出させて当該ボールを十分に含水させることを可能にし、これによって復水器内の冷却用の細管内をボールが循環し、細管内を洗浄することで、復水器の性能維持を図ることができる復水器細管洗浄ボール用簡易含水装置を提供する。【解決手段】本発明に係る復水器細管洗浄ボール用簡易含水装置は、発電所のタービン駆動後の蒸気を冷却水によって凝縮させる復水器を洗浄するためのボールを入れ、真空に近い状態に減圧保持可能とした圧力容器と、当該圧力容器を負圧にするための真空ポンプと、前記圧力容器を減圧解除するための減圧解除装置と、前記ボールを圧力容器の内底部に保持するための下敷き金網と、当該下敷き金網を固定させるための固定器具とにより構成される。【選択図】図２
2007139295.tif 000002
【特許請求の範囲】
【請求項１】
発電所のタービン駆動後の蒸気を冷却水によって凝縮させる復水器を洗浄するためのボールを入れ、真空に近い状態に減圧保持可能とした圧力容器と、当該圧力容器を負圧にするための真空ポンプと、前記圧力容器を減圧解除するための減圧解除装置と、前記ボールを圧力容器の内底部に保持するための下敷き金網と、当該下敷き金網を固定させるための固定器具とにより構成されることを特徴とした復水器細管洗浄ボール用簡易含水装置。
【発明の詳細な説明】
【技術分野】
【０００１】
本発明は、発電所のタービン駆動後の蒸気を冷却水によって凝縮させる復水器を洗浄するボールを、効率良く含水させるための復水器細管洗浄ボール用簡易含水装置に関するものである。
【背景技術】
【０００２】
発電所において、復水器は、主に海水を冷却水として、タービン駆動後の蒸気を凝縮させている。この復水器内に海水を流すための細管は、約２３ｍｍ〜２６ｍｍ程度であるが、海水中の藻や小さな貝が付着し、細管が閉塞してしまい、復水器性能が低下することがあるため、定期的に細管を洗浄する必要がある。
【０００３】
このため、従来における細管の洗浄方法としては、例えば、特許文献１に開示されているように、３胴から成る復水器の各胴に冷却水が対向流となる２個の水室を備え、当該冷却水は流れ方向に対応した２系列の冷却水入口母管から、各系３本の冷却水入口管に分岐し、各胴の水室へ供給され、復水器を通過した冷却水は、６本の冷却水出口管より流出し、再び２系列に集合した冷却水出口母管から系外の海洋等へ放水するものがある。
【０００４】
これによれば、ボール捕集器が２系列の冷却水出口母管に設けられ、当該ボール捕集器で捕集されたスポンジボールは、それぞれ循環ポンプによりボール取出管に抽出された後、両系のボールを集合し、流路切替装置によって各胴のボール回収器の１つに送出される。そして、この流路切替装置は、各胴へ向かう流路を全閉するか一つのみを開放するように三方切替弁を制御装置で切替えるものとし、前記ボール回収器は、洗浄運転中はボール注入管にスルーするボール非回収状態とし、回収運転時は、ボールを捕捉して回収状態とするものである。
【０００５】
また、従来における細管の他の洗浄方法としては、特許文献２に開示されているように、復水器の下流側に接続された放出管の下方を向く末端に捕集器が取り付けられ、当該捕集器は、スクリーンの下端に、パンチングボードから形成された漏斗を連設し、当該漏斗の底部に集積槽を接続し、集積槽の一側にはポンプに接続された回収パイプが接続されている技術がある。このとき、ボールはスポンジ状のため、水を含んで重くなり、水との重量差および偏向性差により、直角に向きを変える海水から剥がれるように直進し、漏斗の中央下部に誘導されて集積槽に集積されるものとしている。
【０００６】
さらに、従来における細管の他の洗浄方法としては、特許文献３に開示されているように、復水器空気抽出器でボール回収器内の空気を抽出して真空度を高めた後、ボール回収器出口弁を開いてボール回収器へ注水することで洗浄体を浸水させ、満水後にボール回収器真空弁を閉じてから、ボール回収器入口弁を開き、ボール循環ポンプを起動することで復水器細管を洗浄する技術が存在する。
【０００７】
この他にも、従来においては、復水器細管洗浄装置により、細管の径と同程度の大きさのスポンジボールを海水中に混入させた後、当該スポンジボールを細管内面と接触させながら通過させることにより、藻や貝とスライムを除去している。
【０００８】
この技術の概要は、復水器まわりの海水の流れと、復水器洗浄用のボールの流れを示した図１に開示されている。すなわち、タービン駆動後の蒸気を凝縮させるための冷却水（海水）は、取水ピット１における循環水ポンプ２により取り込まれ、復水器入口配管４を通過し、復水器３へ送られ、復水器出口配管５より海へ排出される。そして、ボールは、ボール循環ポンプ６により、復水器入口配管４へ送り込まれ、海水と共に復水器３の細管を通過、洗浄し、復水器出口配管５に設けられたボール捕集器９により捕集され、ボール回収器７に回収される。これらのボール循環動作を繰り返し行うことで、細管に藻や貝やスライム等が付着するのを防止でき、これによって復水器の性能の維持を図っている。
【０００９】
このような復水器細管洗浄装置の回収器では、十分な洗浄効果を得るために、復水器洗浄用のボールを海水中に混入させる前に、当該ボール自体を十分に含水させる必要がある。このため、含水装置を設け、回収器内を真空ポンプにより負圧にすることにより、ボールを含水させている。
【特許文献１】特開平１０−２２０２０６号公報
【特許文献２】特開平１０−１１１０９５号公報
【特許文献３】特開平６−３１７３９６号公報
【発明の開示】
【発明が解決しようとする課題】
【００１０】
しかしながら、従来における細管の洗浄方法においては、ボール回収器７内の空気を抽出しているが、この方法では、復水器洗浄用のボールの個々に含まれる微量な空気分を完全に抽出することができない。このため、ボール回収器７内の水面上部や復水器内にボールが僅かな空気含有による浮力でもって浮いてしまい、ボールが復水器の細管を循環できなくなり、このことが復水器の性能低下につながっている。
【００１１】
また、従来の含水装置は、ボール回収器７に復水器洗浄用のボールを投入し、ボール回収器７を真空ポンプにより負圧にする方式を用いていたが、ボール回収器７内やボール内の空気が充分抜け切らないため、ボールを十分に含水できない。このため、ボール循環運転中にボールが浮力で浮いてしまい、細管にスムーズに入っていかなくなるという問題点がある。このような復水器洗浄用のボールは、スポンジを原料として作成されたもの、トウモロコシを粉砕し表面を覆ったもの等さまざまであるが、特にトウモロコシを原料として作成されたボールは、より環境にやさしいという反面、含水しにくいという課題がある。
【００１２】
同様にして、特許文献１に示す技術においては、ボール捕集器で捕集されたスポンジボールは、それぞれ循環ポンプによりボール取出管に抽出された後、両系のボールを集合し、流路切替装置によって各胴のボール回収器の１つに送出されるのであるが、復水器洗浄用のボールの個々に含まれる微量な空気分をボール回収器内で完全に抽出するという具体的な構成が示されていない。
【００１３】
また、特許文献２に示す技術においては、スポンジ状のボールは、水を含んで重くなり、水との重量差および偏向性差により、直角に向きを変える海水から剥がれるように直進し、漏斗の中央下部に誘導されて集積槽に集積されるものとしているが、復水器洗浄用のボールの個々に含まれる微量な空気分を集積槽内で完全に抽出するという具体的な構成が示されていない。
【００１４】
さらに、特許文献３に示す技術においては、復水器空気抽出器でボール回収器内の空気を抽出して真空度を高めた後、ボール回収器出口弁を開いてボール回収器へ注水することで洗浄体を浸水させるものとしているが、単に真空度を高めただけでは復水器洗浄用のボールの個々に含まれる微量な空気分を完全に抽出することは非常に困難である。
【００１５】
そこで、本発明は如上のような従来存した諸事情に鑑み創出されたもので、復水器洗浄用のボールの個々に含まれる微量な空気分を完全に抽出させて当該ボールを十分に含水させることを可能にし、これによって復水器内の冷却用の細管内をボールが循環し、細管内を洗浄することで、復水器の性能維持を図ることができる復水器細管洗浄ボール用簡易含水装置を提供することを目的とする。
【課題を解決するための手段】
【００１６】
本発明に係る復水器細管洗浄ボール用簡易含水装置は、発電所のタービン駆動後の蒸気を冷却水によって凝縮させる復水器を洗浄するためのボールを入れ、真空に近い状態に減圧保持可能とした圧力容器と、当該圧力容器を負圧にするための真空ポンプと、前記圧力容器を減圧解除するための減圧解除装置と、前記ボールを圧力容器の内底部に保持するための下敷き金網と、当該下敷き金網を固定させるための固定器具とにより構成されることで、上述した課題を解決した。
【発明の効果】
【００１７】
本発明によれば、復水器洗浄用のボールの個々に含まれる微量な空気分を完全に抽出させて当該ボールを十分に含水させることを可能にし、これによって復水器内の冷却用の細管内をボールが循環し、洗浄することで復水器の性能維持を図ることができる。
【００１８】
すなわち、本発明による簡易含水装置を用いることにより、従来では困難とされてきた、トウモロコシを粉砕し、表面を覆ったスポンジを原料としたボールをはじめとする全てのボールを確実に含水させることができる。
【発明を実施するための最良の形態】
【００１９】
以下に、本発明を実施するための最良の形態を、図２・図３に基づいて説明する。
【００２０】
本発明に係る簡易含水装置は、図２に示すように、復水器洗浄用のボール１４を入れ、満水後に真空に近い状態に減圧保持可能とした圧力容器１７と、当該圧力容器１７を負圧にするための真空ポンプ１０を備えたドレンタンク１１とから構成されている。
【００２１】
そして、圧力容器１７を密閉するための圧力容器蓋１３を備え、当該圧力容器蓋１３と真空ポンプ１０とを、圧力計１８を備えた内圧力検出配管２０、空気抜管１２それぞれで接続してある。さらに、圧力容器蓋１３には、圧力容器１７を減圧解除するための減圧解除装置１９が設けられている。
【００２２】
また、圧力容器１７の内底部には、前記ボール１４を保持するための、例えば、ＳＵＳ製等の下敷き金網１６と、当該下敷き金網１６を固定させるための、例えば、おもり等の固定器具１５とが配装されるようにしてある。
【００２３】
簡易含水装置によって含水処理された復水器洗浄用のボール１４は、図１に示すように、ボール循環ポンプ６により、復水器入口配管４へ送り込まれ、タービン駆動後の蒸気を凝縮させるための冷却水（海水）と共に復水器３の細管を通過、洗浄し、復水器出口配管５に設けられたボール捕集器９により捕集され、ボール回収器７に回収される。これらのボール循環動作を繰り返し行うことで、細管に藻や貝やスライム等が付着するのを防止している。
【００２４】
次に、上記した構成による簡易含水装置の使用・動作の一例を説明する。
【００２５】
先ず、図２に示すように、簡易含水装置の圧力容器１７内にボール循環運転に必要な個数すべてのボール１４を入れ、ＳＵＳ製の下敷き金網１６を上から乗せ、さらにその上を固定器具１５で押さえ、水で圧力容器１７を満水させ、圧力容器蓋１３で密閉する。
【００２６】
その後、含水用の真空ポンプ１０を起動させ、密閉された圧力容器１７内およびボール１４内に含まれている空気分を負圧によって抜き取り、空気抜管１２を通過させドレンタンク１１へと導く。
【００２７】
このとき、圧力計１８にて真空引きの圧力が０．１Ｍｐａであることを確認する。すなわち、含水用の真空ポンプ１０を、ドレンタンク１１から空気が出なくなるまで、例えば、約１０分間運転させた後、圧力容器１７内やボール１４内の空気が抜け切れたことを確認する。
【００２８】
次に、圧力容器蓋１３の減圧解除装置１９により圧力容器１７内を減圧（負圧）解除し、圧力容器１７内を大気圧に戻した後、圧力容器蓋１３を外し、おもりによる固定器具１５、ＳＵＳ製の下敷き金網１６とを順に取り外す。このとき、ボール１４が満水の圧力容器１７内に沈んだままの状態となって、当該ボール１４に水が充分に含水されていることを確認する。
【００２９】
ボール１４が水中を浮遊または、水面上に浮上するようであれば、ボール１４に水が未だ充分に含水されていないので、完全にボール１４が含水されて圧力容器１７の底に沈むまで、簡易含水装置の運転操作を繰り返す。
【００３０】
そして、含水済のボール１４を、図１に示すボール回収器７に投入し、その後、ボール１４が全てボール回収器７の底に沈むことを確認し、ボール循環運転準備が完了する。
【００３１】
これ以降、ボール循環ポンプ６を起動してボール１４を細管内に貫通させて細管内のボール１４による清掃が実施される。
【００３２】
尚、圧力容器１７は別途設けず、復水器３のボール回収器７自体を圧力容器１７として兼用させ、当該ボール回収器７内に、下敷き金網１６やその固定器具１５を取り付けて、前記簡易含水装置と同様な操作が行えるようにしても良い。
【産業上の利用可能性】
【００３３】
本発明は、発電所のタービン駆動後の蒸気を冷却水によって凝縮させる復水器を洗浄するためのボール以外にも、種々に利用されるボールを簡易に含水をする装置として、広く利用されるものである。
【図面の簡単な説明】
【００３４】
【図１】復水器のボールによる細管の洗浄過程を示す概略構成図である。
【図２】復水器細管洗浄ボール用簡易含水装置の一例を示す概略構成図である。
【図３】復水器細管洗浄ボール用簡易含水装置における圧力容器の平面図である。
【符号の説明】
【００３５】
１…取水ピット
２…循環水ポンプ
３…復水器
４…復水器入口配管
５…復水器出口配管
６…ボール循環ポンプ
７…ボール回収器
９…ボール捕集器
１０…真空ポンプ
１１…ドレンタンク
１２…空気抜管
１３…圧力容器蓋
１４…ボール
１５…固定器具
１６…下敷き金網
１７…圧力容器
１８…圧力計
１９…減圧解除装置
２０…内圧力検出配管
【図１】
2007139295.tif 000003
【図２】
2007139295.tif 000004
【図３】
2007139295.tif 000005